(57)【要約】【課題】術者等が生体組織に対して行う処置の効果の低下を防止可能な電気手術装置を提供する。【解決手段】本発明の電気手術装置は、高周波電圧を発生する交流電源と、一次側回路において印加された前記高周波電圧を変圧するとともに、該変圧後の前記高周波電圧に基づく高周波電流を二次側回路において出力する変圧器と、二本の高周波電流供給ラインを有し、前記変圧器から出力される前記高周波電流を、前記二本の高周波電流供給ラインを介して生体組織に対して供給するバイポーラ型処置具と、前記二本の高周波電流供給ラインの間の結合容量と、前記高周波電流が有する周波数とに基づき、前記前記二本の高周波電流供給ラインの間におけるインピーダンスが前記周波数に対して極大となるように設定される所定の定数を有して構成されるインピーダンス整合回路とを有する。【選択図】図１
2007135914.tif 000002
【特許請求の範囲】
【請求項１】
高周波電圧を発生する交流電源と、
一次側回路において印加された前記高周波電圧を変圧するとともに、該変圧後の前記高周波電圧に基づく高周波電流を二次側回路において出力する変圧器と、
二本の高周波電流供給ラインを有し、前記変圧器から出力される前記高周波電流を、前記二本の高周波電流供給ラインを介して生体組織に対して供給するバイポーラ型処置具と、
前記二本の高周波電流供給ラインの間の結合容量と、前記高周波電流が有する周波数とに基づき、前記前記二本の高周波電流供給ラインの間におけるインピーダンスが前記周波数に対して極大となるように設定される所定の定数を有して構成されるインピーダンス整合回路と、
を有することを特徴とする電気手術装置。
【請求項２】
前記インピーダンス整合回路は、前記変圧器の前記二次側回路に設けられていることを特徴とする請求項１に記載の電気手術装置。
【請求項３】
前記インピーダンス整合回路は、前記バイポーラ型処置具内部に設けられていることを特徴とする請求項１または請求項２に記載の電気手術装置。
【発明の詳細な説明】
【技術分野】
【０００１】
本発明は、電気手術装置に関し、特に、高周波電流により生体組織に対する処置を行うことが可能な電気手術装置に関するものである。
【背景技術】
【０００２】
従来より、電気メス等の電気手術装置は、外科手術等において、生体組織の切開、凝固または止血等の処置を行う際に用いられている。前述した電気手術装置は、一般的に、高周波電流を出力する高周波電源と、該高周波電源に接続される処置具を有して構成されている。そして、術者等は、患者の生体組織に接触させた処置具を介し、高周波電源から出力される高周波電流を該生体組織に供給することにより、該生体組織に対して前述した各処置を行う。
【０００３】
また、前述した電気手術装置においては、処置対象となる生体組織の状態または術者等が行う処置に応じた高周波電流の供給を行うことのできる構成を有することが望ましい。そして、前記構成を有する電気手術装置と略同様の構成を有する装置としては、例えば、特許文献１に提案されている高周波電流治療装置が広く知られている。
【０００４】
特許文献１に提案されている高周波電流治療装置は、処置具である電気メスにおける出力電圧及び出力電流を検出するとともに、該出力電圧及び該出力電流に基づいて算出された、処置対象となる生体組織のインピーダンスに応じた高周波電流の供給を行うための構成を有している。
【０００５】
【特許文献１】特開平１０−１１８０９３号公報
【発明の開示】
【発明が解決しようとする課題】
【０００６】
一般的に、前述した電気手術装置においては、数百ｋＨｚ程度の高周波電流が高周波電源から処置具へと出力されるため、特に、処置対象となる生体組織のインピーダンスが高い状態においては、浮遊容量及び結合容量等の影響が無視できなくなる。
【０００７】
しかし、特許文献１に提案されている電気外科手術装置は、インピーダンス算出の際に、浮遊容量の影響を無視した演算を行っている。そのため、特許文献１に提案されている電気外科手術装置は、処置対象となる生体組織における、実際のインピーダンスの値とは異なるインピーダンスの値を算出してしまう場合がある。その結果、特許文献１に提案されている電気外科手術装置においては、処置対象となる生体組織に対し、適切に高周波電流の供給が行われないことにより、術者等が行う処置の効果が低下してしまうという課題が生じている。
【０００８】
本発明は、前述した点に鑑みてなされたものであり、術者等が生体組織に対して行う処置の効果の低下を防止可能な電気手術装置を提供することを目的としている。
【課題を解決するための手段】
【０００９】
本発明における第１の電気手術装置は、高周波電圧を発生する交流電源と、一次側回路において印加された前記高周波電圧を変圧するとともに、該変圧後の前記高周波電圧に基づく高周波電流を二次側回路において出力する変圧器と、二本の高周波電流供給ラインを有し、前記変圧器から出力される前記高周波電流を、前記二本の高周波電流供給ラインを介して生体組織に対して供給するバイポーラ型処置具と、前記二本の高周波電流供給ラインの間の結合容量と、前記高周波電流が有する周波数とに基づき、前記前記二本の高周波電流供給ラインの間におけるインピーダンスが前記周波数に対して極大となるように設定される所定の定数を有して構成されるインピーダンス整合回路とを有することを特徴とする。
【００１０】
本発明における第２の電気手術装置は、前記第１の電気手術装置において、前記インピーダンス整合回路は、前記変圧器の前記二次側回路に設けられていることを特徴とする。
【００１１】
本発明における第３の電気手術装置は、前記第１または第２の電気手術装置において、  前記インピーダンス整合回路は、前記バイポーラ型処置具内部に設けられていることを特徴とする。
【発明の効果】
【００１２】
本発明における電気手術装置によると、術者等が生体組織に対して行う処置の効果の低下を防止可能である。
【発明を実施するための最良の形態】
【００１３】
以下、図面を参照して本発明の実施の形態を説明する。図１は、本実施形態に係る電気手術装置の要部の構成の一例を示す図である。
【００１４】
電気手術装置１は、図１に示すように、高周波電流を出力する高周波電源装置２と、基端側において高周波電源装置２に接続可能な構造を有するとともに、先端側において高周波電源装置２から出力される高周波電流を生体組織１０１に対して供給するバイポーラ型処置具３とを有して要部が構成されている。
【００１５】
高周波電源装置２は、高周波電流発生部２１と、制御部２２と、直列共振部２３と、バイポーラ型処置具３の基端側に設けられたバイポーラコネクタ３１に対して接続可能なバイポーラソケット２４とを有して構成されている。また、高周波電流発生部２１は、交流電圧及び交流電流を出力する交流電源２１ａと、高周波トランス２１ｂと、コンデンサ２１ｃとを有して構成されている。
【００１６】
交流電源２１ａは、所定の周波数として、例えば、数百ｋＨｚ程度の周波数を有する高周波電圧Ｖ１を高周波トランス２１ｂの一次側回路及びコンデンサ２１ｃに対して印加する。
【００１７】
変圧器としての高周波トランス２１ｂは、所定の周波数を有する高周波電圧Ｖ１が一次側回路に印加された場合、電磁誘導により、該所定の周波数を有する高周波電圧Ｖ２を二次側回路に発生させる。そして、高周波トランス２１ｂの二次側回路において、所定の周波数を有する高周波電圧Ｖ２が発生した場合、該高周波電圧Ｖ２に基づく、該所定の周波数を有する高周波電流が、直列共振部２３を経由し、バイポーラソケット２４に対して出力される。
【００１８】
コンデンサ２１ｃは、高周波トランス２１ｂの一次側回路のコイルとともに、並列共振部２１ｄを構成している。そして、前記並列共振部２１ｄにおいて、高周波電圧Ｖ１のスプリアス除去が行われる。
【００１９】
ＣＰＵ等により構成される制御部２２は、高周波電流発生部２１の制御を行うとともに、高周波電源装置２に設けられた、高周波電流発生部２１以外の図示しない各部の制御を行う。
【００２０】
直列共振部２３は、コイル２３ａと、コンデンサ２３ｂとを有して構成され、高周波トランス２１ｂの二次側回路における出力インピーダンスを低下させる。
【００２１】
バイポーラ型処置具３は、バイポーラコネクタ３１と、コイル３１ａと、高周波電源装置２から出力される高周波電流をバイポーラ型処置具３の先端部に伝送する、高周波電流供給ラインとしての出力リード線３２及び３３と、出力リード線３２及び３３の間における短絡を防止するために、バイポーラ型処置具３の先端部に設けられた絶縁部３４とを有して構成されている。
【００２２】
バイポーラコネクタ３１は、高周波電源装置２のバイポーラソケット２４に対して接続可能な構成を有するとともに、内部にコイル３１ａを有して構成されている。
【００２３】
インピーダンス整合回路としてのコイル３１ａは、出力リード線３２及び３３に対して並列に接続され、出力リード線３２及び３３の間に存在する結合容量とともに並列共振回路を構成する。また、コイル３１ａが有する所定の定数としてのインダクタンスは、高周波電源装置２が有する高周波トランス２１ｂの二次側回路から出力される高周波電流が有する周波数に基づく共振周波数と、出力リード線３２及び３３の間に存在する結合容量とに応じて適宜設定される。
【００２４】
なお、コイル３１ａは、高周波トランス２１ｂの二次側回路において出力リード線３２及び３３に対して並列に接続され、かつ、高周波電源装置２が有する高周波トランス２１ｂの二次側回路から出力される高周波電流が有する周波数に基づく共振周波数と、出力リード線３２及び３３の間に存在する結合容量とに応じて所定の定数としてのインダクタンスが適宜設定されるものであれば、バイポーラコネクタ３１の内部に設けられているものに限らない。具体的には、コイル３１ａは、例えば、図１において点線を用いて示すように、高周波電源装置２内部であり、かつ、高周波トランス２１ｂの二次側回路である、直列共振部２３とバイポーラソケット２４との間に設けられているものであっても良い。また、コイル３１ａは、高周波電源装置２内部に複数設けられるとともに、例えば、複数のコイルのうち、高周波電源装置２に接続される処置具固有の識別情報等から、該処置具に応じた所定の一のコイルが選択され、出力リード線３２及び３３に接続されるものであっても良い。
【００２５】
次に、電気手術装置１の作用について説明を行う。
【００２６】
まず、術者等は、バイポーラ型処置具３を高周波電源装置２に接続した後、高周波電源装置２の電源を投入する。
【００２７】
高周波電源装置２の電源が投入されると、制御部２２は、高周波電流発生部２１に対し、高周波電流を出力させるための制御を行う。そして、高周波電流発生部２１は、制御部２２の制御に基づき、所定の周波数として、例えば、数百ｋＨｚ程度の周波数を有する高周波電流を高周波トランス２１ｂの二次側回路において発生させる。
【００２８】
高周波トランス２１ｂの二次側回路において発生した高周波電流は、バイポーラソケット２４と、バイポーラコネクタ３１と、出力リード線３２及び３３とを介し、バイポーラ型処置具３の先端部から生体組織１０１に対して供給される。
【００２９】
バイポーラ型処置具３の先端部から生体組織１０１に対して高周波電流が供給される当初の段階において、該生体組織１０１のインピーダンスは、粘液等の付着により、出力リード線３２及び３３の間の結合容量によるリアクタンスを無視できる程度に低い状態である。すなわち、バイポーラ型処置具３の先端部から生体組織１０１に対して高周波電流が供給される当初の段階においては、該生体組織１０１のインピーダンスが有する各成分のうち、純抵抗成分が支配的な状態となる。
【００３０】
その後、バイポーラ型処置具３の先端部から生体組織１０１に対して高周波電流が供給され続けることにより、該生体組織１０１は次第に乾燥してゆく。これにより、前記生体組織１０１のインピーダンスは、出力リード線３２及び３３の間の結合容量によるリアクタンスが無視できない程度に増加してゆく。
【００３１】
そのため、従来においては、例えば、バイポーラ型処置具３の先端部から生体組織１０１に対して高周波電流が供給され続けることにより、該生体組織１０１に対して供給される電流の量が次第に減少してゆくとともに、出力リード線３２及び３３の間の結合容量を介して流れる電流の量が次第に増加してゆくという現象が発生してしまう。
【００３２】
しかし、本実施形態のバイポーラ型処置具３は、高周波電源装置２から出力される高周波電流が有する周波数に基づく共振周波数と、出力リード線３２及び３３の間に存在する結合容量とに応じ、所定の定数としてのインダクタンスが適宜設定されるコイル３１ａを有する。そのため、出力リード線３２及び３３の間のインピーダンスは、高周波電源装置２から出力される高周波電流が有する周波数に対して極大となる。また、バイポーラ型処置具３がコイル３１ａを有していることにより、バイポーラ型処置具３の先端部から生体組織１０１に対して高周波電流が供給され続ける際に生じる、該生体組織１０１のインピーダンスと、出力リード線３２及び３３の間の結合容量のリアクタンスとの位相差を無くすことができる。
【００３３】
そして、以上に述べたコイル３１ａの作用により、生体組織１０１のインピーダンスが出力リード線３２及び３３の間の結合容量によるリアクタンスが無視できない程度に増加した場合においても、出力リード線３２及び３３の間の結合容量を介して電流が流れることなく、かつ、該生体組織１０１に対して供給される電流の量が減少することがない。
【００３４】
以上に述べたように、本実施形態の電気手術装置１は、生体組織１０１の処置に要する高周波電流を、バイポーラ型処置具３における出力リード線３２及び３３の間の結合容量を介して分流させることなく、適切に該生体組織１０１に対して供給することができる。その結果、本実施形態の電気手術装置１は、術者等が生体組織に対して行う処置の効果の低下を防止することができる。
【００３５】
なお、本発明は、上述した実施形態に限定されるものではなく、発明の趣旨を逸脱しない範囲内において種々の変更や応用が可能であることは勿論である。
【図面の簡単な説明】
【００３６】
【図１】本発明の実施形態に係る電気手術装置の要部の構成の一例を示す図。
【符号の説明】
【００３７】
１・・・電気手術装置、２・・・高周波電源装置、３・・・バイポーラ型処置具、２１・・・高周波電流発生部、２１ａ・・・交流電源、２１ｂ・・・高周波トランス、２１ｃ，２３ｂ・・・コンデンサ、２１ｄ・・・並列共振部、２２・・・制御部、２３・・・直列共振部、２３ａ，３１ａ・・・コイル、２４・・・バイポーラソケット、３１・・・バイポーラコネクタ、３２，３３・・・出力リード線、３４・・・絶縁部、１０１・・・生体組織
【図１】
2007135914.tif 000003